(57)【要約】懸架装置は、垂直に配置される成形部材（１）を備え、この成形部材はそれに設けられた係合輪郭部（３）を有する。この係合輪郭部は好ましくは両側面に対をなして設けられている。成形部材（１）は支持構造体に固定される。懸架装置には、成形部材（１）に掛止め可能な少なくとも１個のブラケットが属する。このブラケットは係合輪郭部（３）に対して相補的な固定要素を備えている。ブラケット（２）は取り囲み部材（２０）を備え、この取り囲み部材には固定要素が配置されている。成形部材（１）の前面（１０）両側面はブラケット（２）によって取り囲まれる。このブラケットは異なる形状の荷重支持体（４）に連結可能である。選択された係合輪郭部（３）のレベルにブラケット（２）を錠止可能である。懸架装置は複数の変形が提案され、例えばレセプション範囲内で情報担体および装飾支持体としてまたは商品または展示品の展示のための架台としてあるいは物品の保管のために使用可能である。成形部材（１）は棒材料または少なくとも１対の係合輪郭部（３）を有する短い片として使用される。
2005508685.tif 000002
【特許請求の範囲】
【請求項１】
ａ）垂直に配置される成形部材（１）が前面（１０）と２つの側面（１１，１２）と背面  （１３）を備え、係合輪郭部（３）が成形部材（１）に設けられ、
ｂ）成形部材（１）に掛止め可能なブラケット（２）が係合輪郭部（３）に対して相補的  な固定要素（２２０，２４，５０）を備えている、
懸架装置において、
ｃ）ブラケット（２）が取り囲み部材（２０）を備え、この取り囲み部材に固定要素（２  ２０，２４，５０）が設けられ、
ｄ）ブラケット（２）が成形部材（１）の前面（１０）と両側面（１１，１２）を取り囲んでいることを特徴とする懸架装置。
【請求項２】
固定要素（２２０，２４，５０）がブラケット（２）の取り囲み部材（２０）のクランプ部分（２２）に
ａ）固定された要素（２２０）であるかあるいは
ｂ）少なくともおよび好ましくは１つの取り外し可能な要素（２４）として配置されてい  るかあるいは
ｃ）ばねで支承された要素（２４）であるかあるいは
ｄ）弾性の要素（５０）として配置されている
ことを特徴とする、請求項１記載の懸架装置。
【請求項３】
成形部材（１）の係合輪郭部（３）が
ａ）成形部材（１）の背面（１３）または前面（１０）に設けられているかあるいは
ｂ）成形部材（１）の側面（１１，１２）に設けられ、成形部材（１）の前面（１０）の  方に延びているかまたは前面（１０）に対してアンダーカットされている
ことを特徴とする、請求項１または２記載の懸架装置。
【請求項４】
ａ）成形部材（１）の横断面がＴ字状であり、Ｔ字の縦棒が後側に向き、横棒が成形部材  （１）の前面（１０）を形成し、それによって前面（１０）の後側に、縦方向に延びる  ２つのアンダーカットが設けられ、このアンダーカットが好ましくは、例えば切り込み  、穴または外側に向いた打ち抜き部の形をした係合輪郭部（３）としての係止部を備え  、
ｂ）ブラケット（２）の取り囲み部材（２０）に、上側のクランプ部分（２２）と下側の  支持部分（２３）が設けられ、クランプ部分（２２）が固定要素として高さ位置を互い  にずらしたフックを備え、
ｃ）ブラケット（２）が成形部材（１）に捩じって取付け可能であり、それによってクラ  ンプ部分（２２）が前面（１０）上に達し、真っ直ぐな位置に回転させた後で前面（１  ０）に後ろから係合し、最後に係合輪郭部（３）に挿入される
ことを特徴とする、請求項１〜３のいずれか一つに記載の懸架装置。
【請求項５】
ａ）成形部材（１）の横断面が台形またはＴ字状であり、幅広の前面（１０）が前側に位  置し、側面（１１，１２）の係合輪郭部（３）としてそれぞれ、スロット係止部（３）  が配置され、このスロット係止部が互いに対称で前面（１０）からアクセス可能であり  、それによって同じ高さ位置に対のスロットが設けられ、
ｂ）ブラケット（２）の取り囲み部材（２０）に、上側のクランプ部分（２２）と下側の  支持部分（２３）が設けられ、クランプ部分と支持部分が成形部材（１）の方に向いた  、対のスロットの開口幅の二叉状の開口を備え、かつ互いに間隔をおいて設けられ、こ  の間隔が係止部（３）の異なる対のスロットに一致しておらず、
ｃ）固定要素（２２０）がクランプ部分（２２）の爪によって形成され、
ｄ）掛止め状態で、上側のクランプ部分（２２）が対のスロットの外側で成形部材（１）  を取り囲み、それによってブラケット（２）を拘束保持し、下側の支持部分（２３）が  、対のスロットに挿入されてブラケット（２）を垂直方向に支持している
ことを特徴とする、請求項１〜３のいずれか一つに記載の懸架装置。
【請求項６】
ａ）成形部材（１）の横断面が四角形であり、側面（１１，１２）の係合輪郭部（３）と  して、前面（１０）に対してアンダーカットされた、半円状切り込みの形をした係止部  （３）が設けられ、両側面（１１，１２）が互いに対称であり、それによって同じ高さ  位置に対の切り込み（３）が設けられ、
ｂ）ブラケット（２）の取り囲み部材（２０）に、下側の支持部分（２３）と上側のクラ  ンプ部分（２２）とが設けられ、クランプ部分が固定要素（２４）として、可動に掛け  られた保持ディスク（２４）を備え
ｃ）保持ディスク（２４）が偏心配置および／または弾性支承され、それによって掛止め  された状態でブラケット（２）がその停止位置で互いに近接し、選択された対の切り込  み（３）に係合し、
ｄ）荷重増大時にも、掛止めされたブラケット（２）が選択された対の切り込み（３）内  にとどまるように、保持ディスク（２４）が形成されている
ことを特徴とする、請求項１〜３のいずれか一つに記載の懸架装置。
【請求項７】
ａ）成形部材（１）の横断面が基本的には四角形であり、側面（１１，１２）の係合輪郭  部（３）として  、前面（１０）に対してアンダーカットされた、好ましくは長方形ま  たは多角形のスロット（３）の形をした係止部（３）が設けられ、両側面（１１，１２  ）が互いに対称であり、それによってそれぞれ同じ高さ位置に対のスロット（３）が設  けられ、
ｂ）ブラケット（２）の取り囲み部材（２０）が、２個のジョーを有する、ばね付勢され  た舌片として形成され、この舌片がばね付勢に抗して開放可能であり、取り囲み部材が  そのクランプ部分（２２）に互いに向き合った、固定要素（２４）としての突起（２４  ）を備え、
ｃ）ブラケット（２）が掛け止めされた状態で、取り囲み部材（２０）が成形部材（１）  を取り囲み、ばね付勢部が突起（２４）を選択された対のスロット（３）内に押し、そ  れによってブラケット（２）が成形部材（１）に固定保持され、
ｄ）舌片ジョーが垂直軸または水平軸に回転支承され、
ｅ）成形部材（１）が背面（１３）を形成する、スロット係止部（３）を有する後側の条片と、このスロット係止部（３）を前側から覆い、前面（１０）を形成する前側条片とから組み立て可能である
ことを特徴とする、請求項１〜３のいずれか一つに記載の懸架装置。
【請求項８】
係合輪郭部（３）が側面（１１，１２）にアンダーカットされたくさび状スロット（３）として形成され、下側に窓敷居状の段部（３０）を備え、そして好ましくは側面（１１，１２）の平面の方に上昇する連続的な傾斜面（３１）を形成していることを特徴とする、請求項１〜４のいずれか一つまたは請求項７に記載の懸架装置。
【請求項９】
ａ）一方の側面（１１）の係合輪郭部（３）が他方の側面（１２）の係合輪郭部（３）に  対して対称に配置され、
ｂ）ブラケット（２）の固定要素（５０）がそれぞれ、ばね（５）に支持されたくさび（  ５０）であり、それぞれ１個のばね（５）と１個のくさび（５０）が、成形部材（１）  を収容する切欠きの両側に設けられ、
ｃ）ばね（５）とくさび（５０）が凹部内に挿入されて相互に保持している
ことを特徴とする、請求項１〜３のいずれか一つまたは請求項８に記載の懸架装置。
【請求項１０】
ａ）成形部材（１）が係合輪郭部（３）を有する好ましくは合成樹脂製の後側の条片（１  ８）と、前側の条片（１９）とからなり、
ｂ）成形部材（１）が棒材料であるかまたは少なくとも１対の係合輪郭部（３）を有する  短い片である
ことを特徴とする、請求項１〜４または請求項６〜９のいずれか一つに記載の懸架装置。
【請求項１１】
ａ）成形部材（１）の横断面が長方形であり、係合輪郭部（３）として、水平に貫通する  スロットを有するスロット係止部（３）が背面（１３）に設けられ、
ｂ）ブラケット（２）の取り囲み部材（２０）に、下側の支持部分（２３）と上側のクラ  ンプ部分が設けられ、クランプ部分が固定要素（２４）として、横方向に差し込み可能  な保持ピン（２４）を備え、
ｃ）保持ピン（２４）が選択されたスロット内に位置して掛止めされた状態で、ブラケッ  ト（２）が位置保持されている
ことを特徴とする、請求項１，２，３または１０記載の懸架装置。
【請求項１２】
ａ）成形部材（１）が中空の成形棒であり、
ｂ）成形部材（１）の前面（１０）の係合輪郭部（３）がスロット（３）として形成され  、固定要素（２２０）がスロット（３）に嵌まる舌片（２１）であり、
ｃ）舌片（２１）が取り囲み部材（２０）の上縁に配置され、先ず最初に成形部材（１）  の方に水平に延び、直立した部分で終わっている
ことを特徴とする、請求項１〜３のいずれか一つに記載の懸架装置。
【発明の詳細な説明】
【技術分野】
【０００１】
本発明は、例えば背壁、パネル、フレーム、架台のような支持構造体に垂直に配置するための成形レールと、この成形レールに掛止め可能なブラケットとを備えた懸架装置に関する。成形レールは係止部を備えている。この係止部にはブラケットを掛止め可能である。ブラケットは支持アーム、横棒または棚板支持体に連結されている。成形レールの部分によって形成された構造体は例えばレセプション範囲における情報支持体および装飾支持体としてあるいは商品または展示品を展示するための架台としてあるいは物品を保管するために使用することができる。
【背景技術】
【０００２】
点状に懸架するための装置は数多く知られている（例えば特許文献１，２，３）。支持アームを水平に可変に配置するための懸架装置は同様にいろいろな実施形が提案されている（例えば特許文献４，５）。更に、成形レールとそれに掛けることができるブラケットを垂直に可変に配置するための懸架装置は多数の変形が知られている（例えば特許文献６）。
【特許文献１】欧州特許第０７１６８２５号公報
【特許文献２】国際出願ＷＯ９９／２００９４
【特許文献３】独国実用新案登録第２０１０９０２８号公報
【特許文献４】国際出願ＷＯ９９／６５３６８
【特許文献５】国際出願ＷＯ０１／４３５９９
【特許文献６】独国実用新案登録第２０１００１８１号公報
【発明の開示】
【発明が解決しようとする課題】
【０００３】
技術水準によって知られている装置は過去において有効性が実証された。しかし、完璧なものにする必要がある。すなわち、安定性、可変性、取り扱い操作の容易性および賢明性を高める必要がある。更に、変更された形状を提供する新規な解決策が必要である。この観点から、本発明の根底をなす課題は、支持構造体上に垂直に配置するための成形レールと、この成形レールに掛止め可能なブラケットからなる、上記の用途のための使用価値を高めた、改良された独創的な懸架装置を提供することである。複数のブラケットを異なる高さ位置で成形レールに掛止めし、ブラケットを異なる形状の荷重支持体に連結し、成形レールを、局部的な条件に依存して異なる長さで垂直に配置し、かつ短い区間として配置することができるようにすべきである。
【課題を解決するための手段】
【０００４】
懸架装置は、垂直に配置される成形部材を備え、この成形部材は前面と２つの側面と背面を備え、係合輪郭部が成形部材に設けられている。装置には更に、成形部材に掛止め可能なブラケットが設けられている。このブラケットは係合輪郭部に対して相補的な固定要素を備えている。ブラケットは取り囲み部材を備え、この取り囲み部材に固定要素が設けられ、ブラケットは掛止状態で成形部材の前面と両側面を取り囲んでいる。
【０００５】
次の特徴は本発明の特別な実施形と変形に関する。固定要素はブラケットの取り囲み部材のクランプ部分に、例えば固定された要素として配置されている。その代わりに、少なくともおよび好ましくは１つの取り外し可能な要素が設けられる。その代わりに、固定要素が固定されてばねで支承されるかあるいは弾性である。成形部材の係合輪郭部は成形部材の背面または前面に設けられているかあるいは成形部材の側面に設けられ、成形部材の前面の方に延びているかまたは前面に対してアンダーカットされている。
【０００６】
他の実施形では、成形部材の横断面がＴ字状であり、Ｔ字の縦棒が後側に向き、横棒が成形部材の前面を形成している。それによって、前面の後側に、縦方向に延びる２つのアンダーカットが設けられ、このアンダーカットは、例えば切り込み、穴または外側に向いた打ち抜き部の形をした係合輪郭部としての係止部を備えている。ブラケットの取り囲み部材に、上側のクランプ部分と下側の支持部分が設けられ、クランプ部分が固定要素として高さ位置を互いにずらしたフックを備えている。ブラケットは成形部材に捩じって取付け可能であり、それによってクランプ部分が前面上に達し、真っ直ぐな位置に回転させた後で前面に後ろから係合し、最後に係合輪郭部に挿入される。
【０００７】
他の実施形では、成形部材の横断面が台形またはＴ字状であり、幅広の前面が前側に位置し、側面の係合輪郭部としてそれぞれ、スロット係止部が配置され、このスロット係止部が互いに対称で前面からアクセス可能であり、それによって同じ高さ位置に対のスロットが設けられる。ブラケットの取り囲み部材に、上側のクランプ部分と下側の支持部分が設けられ、クランプ部分と支持部分が成形部材の方に向いた、対のスロットの開口幅の二叉状の開口を備え、かつ互いに間隔をおいて設けられ、この間隔が係止部の異なる対のスロットに一致していない。固定要素はクランプ部分の爪によって形成されている。掛止め状態で、上側のクランプ部分は対のスロットの外側で成形部材を取り囲み、それによってブラケットを拘束保持し、下側の支持部分は、対のスロットに挿入されてブラケットを垂直方向に支持している。
【０００８】
他の実施形では、成形部材の横断面が四角形であり、側面の係合輪郭部として、前面に対してアンダーカットされた、半円状切り込みの形をした係止部が設けられている。両側面は互いに対称であり、それによって同じ高さ位置に対の切り込みが設けられている。ブラケットの取り囲み部材に、下側の支持部分と上側のクランプ部分とが設けられ、クランプ部分は固定要素として、可動に掛けられた保持ディスクを備えている。保持ディスクは偏心配置および／または弾性支承され、それによって掛止め状態でブラケットがその停止位置で互いに近接し、選択された対の切り込みに係合する。荷重増大時にも、掛止めされたブラケットが選択された対の切り込み内にとどまるように、保持ディスクが形成されている。
【０００９】
他の実施形では、成形部材の横断面が基本的には四角形であり、側面の係合輪郭部として、前面に対してアンダーカットされた、好ましくは長方形または多角形のスロットの形をした係止部が設けられている。両側面は互いに対称であり、それによってそれぞれ同じ高さ位置に対のスロットが設けられている。ブラケットの取り囲み部材は、２個のジョーを有する、ばね付勢された舌片として形成され、この舌片はばね付勢に抗して開放可能であり、取り囲み部材のクランプ部分は互いに向き合った、固定要素としての突起を備えている。ブラケットが掛止めされた状態で、取り囲み部材は成形部材を取り囲み、ばね付勢部は突起を選択された対のスロット内に押し、それによってブラケットは成形部材に固定保持される。舌片ジョーは垂直軸または水平軸に回転支承されている。成形部材は背面を形成する、スロット係止部を有する後側の条片と、このスロット係止部を前側から覆い、前面を形成する前側条片とから組み立て可能である。
【００１０】
特別な実施形では、係合輪郭部が側面にアンダーカットされたくさび状スロットとして形成され、下側に窓敷居状の段部を備え、そして好ましくは側面の平面の方に上昇する連続的な傾斜面を形成している。一方の側面の係合輪郭部は他方の側面の係合輪郭部に対して対称に配置されている。ブラケットの固定要素はそれぞれ、ばねに支持されたくさびであり、それぞれ１個のばねと１個のくさびが、成形部材を収容する切欠きの両側に設けられている。ばねとくさびは凹部内に挿入されて相互に保持している。成形部材は係合輪郭部を有する好ましくは合成樹脂製の後側の条片と、前側の条片とからなっている。成形部材は棒材料としてまたは少なくとも１対の係合輪郭部を有する短い片として使用される。
【００１１】
付加的な実施形では、成形部材の横断面が長方形であり、係合輪郭部として、水平に貫通するスロットを有するスロット係止部が背面に設けられている。ブラケットの取り囲み部材に、下側の支持部分と上側のクランプ部分が設けられ、クランプ部分が固定要素として、横方向に差し込み可能な保持ピンを備えている。保持ピンが選択されたスロット内に位置して掛止めされた状態で、ブラケットが位置保持されている。
【００１２】
最後に、中空の成形部材を備えた実施形が提案される。この場合、成形部材の前面の係合輪郭部がスロットとして形成され、固定要素がスロットに嵌まる舌片であり、舌片が取り囲み部材の上縁に配置され、先ず最初に成形部材の方に水平に延び、直立した部分で終わっている。
【００１３】
本発明では、垂直に配置される成形レールと、長さに応じてこの成形レールに掛止め可能な複数のブラケットを備えた異なる変形の新規な懸架装置が提供される。それによって、製作コストと組み立てコストが安価である、拡張された独創的な形状が提供される。
【発明を実施するための最良の形態】
【００１４】
次に、本発明による懸架装置の実施の形態のいろいろな変形を、添付の図に基づいて詳細に説明する。
【００１５】
以下の記載全体について、次のことが当てはまる。図においてあいまいを避けるために、直接関連する明細書部分で説明しない参照符号を図が含んでいる場合、その前の図に基づく記載における参照符号の説明が参照される。見やすくするために、“繰り返し”部品が設けられていることがはっきりと判る場合には、それ以降の図において部品を繰り返して図示していない。
【００１６】
図１Ａ〜１Ｃ
懸架装置の第１の変形では、長方形の中空成形レール１が使用される。この成形レールはその前面１０にスロット係止部３を備えている。関連するブラケット２は横断面がＵ字状の取り囲み部材２０を備えている。この取り囲み部材の最も上側から、差し当たり成形レール１の方向に曲げられた舌片２１が上方に突出している。取り囲み部材２０は掛止め状態で成形レール１の前面１０と両側面１１，１２を取り囲んでいる。この場合、舌片２１は選択されたスロット３に挿入され、内部で前面１０に後側から係合している。ブラケット２の掛止めおよび取り外しのために舌片２１を出し入れできるようにするには、ブラケットを傾けなければならない。ブラケット２には、負荷支持体４として、真っ直ぐな支持棒が取付けられている。水平断面がＵ字状の取り囲み部材２０は前面１０と両側面１１，１２に遊びのないように装着されている。この取り囲み部材は掛止めされるブラケット２の、側方において安定した位置決めを保証する。このブラケットはそれから延びるアーム状の負荷支持体４を備えている。
【００１７】
図２Ａ〜２Ｈ
懸架装置の第２の変形では、Ｔ字状の成形棒１が使用される。このＴ字の縦棒は後側に向き、横棒は前面１０を形成している。それによって、前面１０の後側に、縦方向に延びる２つのアンダーカットが形成されている。このアンダーカットは好ましくは係止部３を備えている。この係止部は切り込み、穴または外向きの打ち抜き部等である。関連するブラケット２は取り囲み部材２０を備えている。この取り囲み部材は高さ方向にずらしたフック２２０を有する上側のクランプ部分２２と、下側の支持板２３を備えている。ブラケット２を取付けるために、このブラケットが回転させられる。それによって、そのクランプ部分２２が前面１０上に達し、回転後真っ直ぐな位置に達し、前面１０に背後から係合し、最後に、設けられていると有利である係止部３内に移動する。
【００１８】
図３Ａ〜３Ｅ
懸架装置の第３の変形では、台形の成形棒１が使用される。この成形棒の幅広の前面１０は前側に位置している。側面１１，１２にはスロット係止部３が設けられている。関連するブラケット２は上側のクランプ部分２２を有する取り囲み部材２０を備えている。このクランプ部分は係止部３の第１の対のスロットのレベルにおいてのみ、成形棒１に嵌込み可能である。取り囲み部材２０の下側の支持部分２３は係止部３の対のスロットの外側で成形棒１に突き当てられ、従って成形棒１上で移動することができない。ブラケット２が下降すると、取り囲み部材２０は広がっている前面１０の後側に達し、それによって拘束保持される。取り囲み部材２０の下側の支持部分２３が係止部３の第２の対のスロットに達すると、支持部分２３はこのスロットに入ることができ、それによって、成形棒１に懸架されたブラケット２は垂直方向において支持され、対のスロットの外側で成形棒１を取り囲むクランプ部分２２は成形棒１からのブラケット２の離隔を阻止する。取り囲み部材２０のクランプ部分２２と支持部材２３は、係止部３の異なる対のスロットの間隔と一致しない相互間隔で設けられている。
【００１９】
図４Ａ〜４Ｄ
懸架装置の第４の変形では、横断面が長方形の成形棒１が使用される。この成形棒の背側１３には、水平方向に貫通するスロットを有するスロット係止部３が設けられ、成形棒は同様に支持構造体に固定するためのものである。ブラケット２は横方向に差し込み可能な上側の固定保持ピン２４を有する取り囲み部材２０を備えている。取り囲み部材２０は取付け状態で、成形棒１の前面１０と側面１１，１２に係合し、固定保持ピン２４は係止部３の選択されたスロット３に挿入可能である。ブラケット２は下側の支持部分２３が前面１０に接触している。ブラケット２の摺動または取り外しのために、固定保持ピン２４はそれがスロット３から完全に外れるように引き抜かなければならない。
【００２０】
図５Ａ〜５Ｈ
第５の変形では、Ｔ字状の成形棒１が使用される。この成形棒の幅広の前面１０は前方に向き、両側面１１，１２にスロット係止部３を備えている。ブラケット２の取り囲み部材２０には、フック２２０を有する上側のクランプ部分２２と、下側の支持板２３が設けられている。このクランプ部分と支持板は成形棒１の方に向いた、対のスロットの開口幅の二叉状開口を有し、係止部３の異なる対のスロットの間隔に一致しない相互間隔をおいて設けられている。フック２２０は第１の対のスロット３のレベルにおいてのみ成形棒１上を移動することができる。ブラケット２の所定の下降または上昇の後で、支持部分２３の二叉は第１の対のスロット３の下方にある第２の対のスロットに挿入可能である。
【００２１】
図６Ａ〜６Ｆ
第６の変形では、横断面が長方形の成形部材１が使用される。この成形部材は両側の側面１１，１２に、前面１０に対してアンダーカットされた、半円状の切欠きの形をした係止部３を備えている。両側面１１，１２の切欠きは互いに対称であり、従ってそれぞれ同じ高さ位置にある対の切欠き３を形成している。ブラケット２はクランプ部分２２を有する取り囲み部材２０を備えている。このクランプ部分上には、可動に掛けられた保持ディスク２４が設けられている。この保持ディスクは重心が偏心しており、従ってそれ自体で向きが決まる。ブラケット２を成形部材１上で移動させると、保持ディスク２４が外側に回転し、開口によって成形部材１への完全な掛止めを可能にする。保持ディスク２４が選択された対の切欠き３内に達すると、保持ディスク２４は自由空間を利用してアンダーカットされた切欠き内に沈み、ブラケット２を成形部材１に保持する。保持ディスク２４と切欠き３の特別な形状によって、確実な錠止が達成される。掛止めされたブラケット２を成形部材１から外すには、ブラケット２を垂直方向に移動させなければならない。その結果、保持ディスク２４は切欠き３から外に移動し、それによって再び開放し、そのとき初めてブラケット２を成形部材１から取り外すことができる。
【００２２】
図７Ａ〜７Ｅ
第７の変形では、第６の変形と同じ成形部材１が使用される。ブラケット２も非常に似ている。クランプ部分２２には、ほぼ半円形の保持ディスク２４が偏心して懸吊固定され、更に長穴によって案内され、そして場合によっては内部のばね要素によって付勢されている。両保持ディスク２４は互いに内側に向いた突起を備えている。この突起はアンダーカットされた切欠き係止部３に係合する。ブラケット２を成形部材１に掛止めする際に、保持ディスク２４が外側に押しのけられて開放され、それによってブラケットを成形部材１に掛止めすることができる。保持ディスク２４が選択された対の切欠き３に達すると、保持ディスク２４が切欠き内に沈み、その突起が切欠き３内に滑動して入る。突起の輪郭によって、ブラケット２は荷重がかかっても成形部材１上に懸架されてとどまる。懸架されたブラケット２の取り外しは第６の変形と同様に、ブラケット２を上方に移動させ、それに伴い保持ディスク２４を開放させることによって行われる。
【００２３】
図８Ａ〜８Ｃ
第８の変形では、アンダーカットされたスロット係止部３を両側面１１，１２に備えた成形部材１が使用される。この成形部材は、背面１３を形成し、スロット係止部３を有する条片と、前面１０を形成し、スロット係止部３を前側から覆う前側の条片とによって組み立てられている。ブラケット２の取り囲み部材２０は２個のジョーを有する、ばねで付勢された舌片として形成されている。このジョーはばね付勢力に抗して開放可能である。取り囲み部材はそのクランプ部分２２に、固定要素２４として互いに向き合った突起２４を備えている。取り囲み部材２０は掛止めされた状態で、成形部材１を包囲し、ばね付勢力が突起２４を選択された対のスロット３内に押し込む。それによって、ブラケット２は成形部材１に固定保持される。ブラケット２を成形部材１から取り外すためあるいは成形部材に沿って垂直方向に移動させるために、ばねの付勢力に抗して取り囲み部材２０を開放し、対のスリット３から突起２４を側方に移動させる。舌片ジョーは垂直軸に回転可能に支承されている。
【００２４】
図９Ａ〜９Ｇ
装置の第９の変形では、第８の変形と基本的に同一の成形部材１が使用されている。この成形部材は両側面１１，１２に設けられたスロット係止部３を備えている。ブラケット２の取り囲み部材２０はこの変形でも、２つのジョーを有するばね付勢された舌片として形成されている。このジョーはばね付勢力に抗して開放可能である。固定要素２４はクランプ部分２２に設けられ互いに向きあった突起２４である。しかし、ブラケット２の取り囲み部材２０の舌片ジョーは水平軸に回転可能に支承されているので、上側に位置するクランプ部分２２はばね付勢力に抗して開放可能である。取り囲み部材２０の下側範囲には、取り囲み部材２０の開放時に取り囲み部材が成形部材１に近接できるようにするための適当な自由空間が設けられている。
【００２５】
図１０Ａ〜１０Ｌ
第１０の変形では、前面１０に対してアンダーカットされたスロット係止部３を有する成形部材１が使用される。スロット係止部３は両側面１１，１２に互いに対称に設けられ、対のスロットが形成されている。このスロットはそれぞれ同じ高さ位置に設けられている。対をなして対称に配置されたスロット３は下側に、それぞれ窓敷居状の段部３０を備え、上側に、側面１１，１２の平面の方への傾斜部３１を備えている。成形部材１を２つの部分、すなわち合成樹脂製の後側の条片１８と、例えばアルミニウム製の前側の条片１９によって形成すると特に有利である。後側の条片には、スロット３を加工することができる。前側の条片はスロット係止部３を越えるまで後側の条片を覆っている。それによって、このスロット係止部はアンダーカットされた輪郭を有する。両条片１８，１９はかみ合わせて組み立てられている。例えば後側条片１８に設けられた矢印マークによって、正しい組み立て方向を示すことができる。成形部材１の１つの実施形では、後側の条片１８を通って後側からボルト止めが行われる（図１０Ｆ〜１０Ｈ参照）。成形部材１の他の実施形では、前側の条片１９を通って前側からボルト止めが行われる。この場合、ボルトのための穴とボルト頭を覆うために、被覆条片１９′が設けられている。（図１０Ｉ〜１０Ｋ参照）。荷重支持体４を取付けたブラケット２は、上側のクランプ部分２２とその下で下方に延びる支持部分２３を有する取り囲み部材２０を備えている。
【００２６】
図１１Ａ〜１４Ｃ
ブラケット２は垂直方向に延びかつ成形部材１の横断面に対して相補的であるＵ字状の切欠きを備えている。それによって、ブラケット２を掛止めした状態で、この切欠き内に、成形部材１の前面１０と両側面１１，１２を収容することができる。上側に位置するブラケット２のクランプ部分２２には、切欠きの両側でばね５に支持され、側方へ制限されて移動可能なくさび５０が挿入されている。このくさびは選択された対のスロット３に弾性的に係合するために設けられている。ばね５はくさび５０を互いに向き合うように付勢する。くさびの尖端は停止位置で切欠き内に挿入されている。くさび５０とばね５は、クランプ部分２２の凹部に挿入されて互いに保持される別個の部品である。
【００２７】
ブラケット２が選択された高さ位置で正しくかつ荷重を支持するように成形部材１に掛けられると（この状態は係止位置と定義される）、ばね５によって押されたくさび５０は対のスロット３内に挿入され、両スロット３の段部３０に載る。掛止めされたブラケット２から成形部材１に作用する垂直な荷重成分は、対のスロット３に係合するくさび５０によって受け止められる。下方に向いた斜めの荷重成分は、支持部分２３とくさび５０の側部によって受け止められる。くさび５０は相互の方に充分に移動し、ブラケット２の下降運動が阻止される（図１１Ｃ，１２Ａ，１２Ｂ参照）。
【００２８】
滑り位置の場合（図１３Ａ，１３Ｂ参照）、ブラケット２は係止位置への挿入前の状態にあるかあるいはこの係止位置から外に移動するときの状態にある。成形部材１に懸架されるブラケット２が上方に持上げられると、くさび５０は対のスロット３の傾斜部３１に沿って上方に移動し始め、この場合ばね５の付勢力に抗して外側に押圧され、上方に移動して対のスロットから逸脱するにつれて徐々に開放する。
【００２９】
成形部材１に懸架されたブラケット２が更に上方に移動し、それに伴いブラケットが元の対のスロット３から益々逸脱すると、最後にブラケット２の自由位置が達成される（図１１Ｄ，１４Ａ〜１４Ｃ参照）。くさび５０は対のスロット３から外に完全に移動し、その間の最大開放位置に達し、成形部材１の側面１１，１２に接触する。この状態で、ブラケット２を成形部材１から取り外し、元の対のスロット３に新たに係止させるために、更に上方にまたは再び下方に移動させることができる。
【００３０】
分離位置では、ブラケット２は成形部材１から取り外されている。くさび５０はばね５によって最大で切欠きの画成部まで切欠き内に押し込まれ、その際最小の相互間隔を有する（図１１Ａ参照）。くさび５０の傾斜面によって、ブラケット２はあらゆる高さ位置で成形部材１に掛止めすることが可能である。
【００３１】
図１５Ａ〜１６Ｉ
スロット係止部３を有する後側の条片１８と前側の条片１９とからなる成形部材１はきわめて有利である。図１５〜１５Ｃにおいて成形部材１に掛けられたブラケット２は、図１６Ａ，１６Ｄ〜１６Ｉに示すように、いろいろな形状の荷重支持体４と組合せ可能である。
【００３２】
特別な形状と用途のために、成形部材１の短い片を支持構造体に固定することができる。このような短い片は少なくとも一対の両側のスロット３を備えている。このような成形片１にもブラケット２を掛止めすることができる。この場合、垂直方向の高さ移動は廃止される（図１６Ｂ，１６Ｃ参照）。
【図面の簡単な説明】
【００３３】
【図１Ａ】前面にスロット係止部を有する中空成形部材と関連するブラケットとを備えた本発明による第１の変形の懸架装置の掛止め状態を示す斜視図である。
【図１Ｂ】図１Ａの中空成形部材を示す図である。
【図１Ｃ】図１Ａのブラケットを示す図である。
【図１Ｄ】ブラケットが成形部材に係合している範囲の、図１Ａの部分断面図である。
【図２Ａ】変形された成形部材とブラケットを備えた懸架装置の第２の変形の掛止め状態を示す斜視図である。
【図２Ｂ】図２Ａの成形部材を示す図である。
【図２Ｃ】図２Ａの配置構造を後側から見た斜視図である。
【図２Ｄ】図２Ａの成形部材に図２Ａのブラケットを近づけた状態を示す平面図である。
【図２Ｅ】図２Ａの成形部材に図２Ａのブラケットを掛止めする過程を示す図である。
【図２Ｆ】図２Ｅの配置構造の異なる斜視図である。
【図２Ｇ】図２Ａの配置構造の側面図である。
【図２Ｈ】図２Ａの掛止め状態の拡大水平断面図である。
【図３Ａ】横断面が台形の成形部材と、関連するブラケットを備えた懸架装置の第３の変形の掛止め状態を示す斜視図である。
【図３Ｂ】図３Ａの成形部材を示す図である。
【図３Ｃ】図３Ａの成形部材の水平断面図である。
【図３Ｄ】図３Ａのブラケットを示す図である。
【図３Ｅ】図３Ａの配置構造を後側から見た斜視図である。
【図３Ｆ】図３Ａの配置構造の側面図である。
【図３Ｇ】図３Ａの配置構造の平面図である。
【図４Ａ】後側にスロット係止部を有する成形部材と、関連するブラケットを備えた懸架装置の第４の変形の掛止め状態を示す斜視図である。
【図４Ｂ】図４Ａの成形部材を示す図である。
【図４Ｃ】図４Ａのブラケットを示す図である。
【図４Ｄ】図４Ａの配置構造の拡大水平断面図である。
【図５Ａ】側方のスロット係止部を有する横断面がＴ字形の成形部材と、関連するブラケットを備えた懸架装置の第５の変形の掛止め状態を示す斜視図である。
【図５Ｂ】図５Ａの成形部材を示す図である。
【図５Ｃ】図５Ａの成形部材の水平断面図である。
【図５Ｄ】図５Ａのブラケットを示す図である。
【図５Ｅ】図５Ａの配置構造を後側から見た斜視図である。
【図５Ｆ】図５Ａの配置構造の側面図である。
【図５Ｇ】図５Ａの配置構造の平面図である。
【図５Ｈ】図５Ｇの拡大図である。
【図６Ａ】アンダーカットされた側方のスロット係止部を有する成形部材と、関連するブラケットを備えた懸架装置の第６の変形の掛止め状態を示す斜視図である。
【図６Ｂ】図６Ａの成形部材を示す図である。
【図６Ｃ】図６Ａの成形部材の水平断面図である。
【図６Ｄ】図６Ａのブラケットを示す図である。
【図６Ｅ】図６Ａの配置構造を後側から見た斜視図である。
【図６Ｆ】図６Ａの配置構造の背面図である。
【図７Ａ】第６の変形の成形部材と、変形されたブラケットを備えた懸架装置の第７の変形の掛止め状態を示す斜視図である。
【図７Ｂ】図７Ａのブラケットを示す図である。
【図７Ｃ】図７Ａの配置構造を後側から見た斜視図である。
【図７Ｄ】図７Ａの配置構造の背面図である。
【図７Ｅ】図７Ａの配置構造の水平断面図である。
【図７Ｆ】ブラケットが成形部材に係合していない、図７Ａの配置構造を示す図である。
【図８Ａ】アンダーカットされた側方のスロット係止部を有する成形部材と、関連するブラケットを備えた懸架装置の第８の変形の掛止め状態を示す斜視図である。
【図８Ｂ】図８Ａの成形部材を示す図である。
【図８Ｃ】図８Ａの配置構造を後側から見た斜視図である。
【図８Ｄ】図８Ａの配置構造の側面図である。
【図８Ｅ】図８Ａの配置構造の水平断面図である。
【図８Ｆ】ブラケットが成形部材に係合していない、図８Ａの配置構造を示す図である。
【図９Ａ】アンダーカットされた側方のスロット係止部を有する成形部材と、変形されたブラケットを備えた懸架装置の第９の変形の掛止め状態を示す斜視図である。
【図９Ｂ】図９Ａの成形部材を示す図である。
【図９Ｃ】図９Ａの成形部材の水平断面図である。
【図９Ｄ】図９Ａのブラケットを示す図である。
【図９Ｅ】図９Ａの配置構造を後側から見た斜視図である。
【図９Ｆ】図９Ａの配置構造の側面図である。
【図９Ｇ】ブラケットが成形部材に係合していない、図９Ａの配置構造を示す図である。
【図１０Ａ】アンダーカットされた側方のスロット係止部を有する成形部材と、変形されたブラケットを備えた懸架装置の第１０の変形の掛止め状態を示す斜視図である。
【図１０Ｂ】図１０Ａの配置構造の正面図である。
【図１０Ｃ】図１０Ａの配置構造の側面図である。
【図１０Ｄ】図１０Ａの成形部材を示す図である。
【図１０Ｅ】図１０Ａの成形部材の垂直断面図である。
【図１０Ｆ】図１０Ｇの成形部材の拡大水平横断面図である。
【図１０Ｇ】後側からのボルト止めのための図１０Ａの成形部材を示す図である。
【図１０Ｈ】図１０Ｇの成形部材の拡大水平横断面図である。
【図１０Ｉ】カバーを取り外した、前側からのボルト止めのための図１０Ａの成形部材を示す図である。
【図１０Ｊ】成形部材に係止されたカバーを備えた図１０Ｉの配置構造を示す図である。
【図１０Ｋ】図１０Ｊの成形部材の拡大水平横断面図である。
【図１１Ａ】図１０Ａのブラケットを後側から見た斜視図である。
【図１１Ｂ】図１１Ａのブラケットの分解図である。
【図１１Ｃ】ブラケットが成形部材に係合している状態における、図１１Ａのブラケットのばねとくさびの位置を示す図である。
【図１１Ｄ】ブラケットが成形部材上の解放されている状態における、図１１Ａのブラケットのばねとくさびの位置を示す図である。
【図１２Ａ】図１０Ａの配置構造の係止位置を示す斜視図である。
【図１２Ｂ】図１２Ａの配置構造の拡大水平断面図である。
【図１３Ａ】図１０Ａの配置構造のスライド位置を示す拡大水平断面図である。
【図１３Ｂ】図１３Ａの配置構造の垂直断面図である。
【図１４Ａ】図１０Ａの配置構造のフリー位置を示す斜視図である。
【図１４Ｂ】図１４Ａの配置構造の拡大水平断面図である。
【図１４Ｃ】図１４Ａの配置構造の拡大垂直断面図である。
【図１５Ａ】ユニバーサルブラケットを備えた図１０Ａの配置構造の係止位置を示す斜視図である。
【図１５Ｂ】図１５Ａの配置構造を示す平面図である。
【図１５Ｃ】図１５Ａの配置構造を示す拡大水平断面図である。
【図１６Ａ】図１０Ａの懸架装置の第１０の変形と、いろいろな荷重支持体を備えたパネルを示す図である。
【図１６Ｂ】対の係止溝を有する第１０の変形の成形体を示す図である。
【図１６Ｃ】図１５Ａのユニバーサルブラケットを示す図である。
【図１６Ｄ】真っ直ぐな支持アームを有するブラケットを示す図である。
【図１６Ｅ】段差のついた支持アームを有するブラケットを示す図である。
【図１６Ｆ】横棒を収容するための支持アームを有するブラケットを示す図である。
【図１６Ｇ】Ｔ字形の支持アームを有するブラケットを示す図である。
【図１６Ｈ】フックレールを有するブラケットを示す図である。
【図１６Ｉ】シェルフ受けを有するブラケットを示す図である。
【図１Ａ】
2005508685.tif 000003
【図１Ｂ】
2005508685.tif 000004
【図１Ｃ】
2005508685.tif 000005
【図１Ｄ】
2005508685.tif 000006
【図２Ａ】
2005508685.tif 000007
【図２Ｂ】
2005508685.tif 000008
【図２Ｃ】
2005508685.tif 000009
【図２Ｄ】
2005508685.tif 000010
【図２Ｅ】
2005508685.tif 000011
【図２Ｆ】
2005508685.tif 000012
【図２Ｇ】
2005508685.tif 000013
【図２Ｈ】
2005508685.tif 000014
【図３Ａ】
2005508685.tif 000015
【図３Ｂ】
2005508685.tif 000016
【図３Ｃ】
2005508685.tif 000017
【図３Ｄ】
2005508685.tif 000018
【図３Ｅ】
2005508685.tif 000019
【図３Ｆ】
2005508685.tif 000020
【図３Ｇ】
2005508685.tif 000021
【図４Ａ】
2005508685.tif 000022
【図４Ｂ】
2005508685.tif 000023
【図４Ｃ】
2005508685.tif 000024
【図４Ｄ】
2005508685.tif 000025
【図５Ａ】
2005508685.tif 000026
【図５Ｂ】
2005508685.tif 000027
【図５Ｃ】
2005508685.tif 000028
【図５Ｄ】
2005508685.tif 000029
【図５Ｅ】
2005508685.tif 000030
【図５Ｆ】
2005508685.tif 000031
【図５Ｇ】
2005508685.tif 000032
【図５Ｈ】
2005508685.tif 000033
【図６Ａ】
2005508685.tif 000034
【図６Ｂ】
2005508685.tif 000035
【図６Ｃ】
2005508685.tif 000036
【図６Ｄ】
2005508685.tif 000037
【図６Ｅ】
2005508685.tif 000038
【図６Ｆ】
2005508685.tif 000039
【図７Ａ】
2005508685.tif 000040
【図７Ｂ】
2005508685.tif 000041
【図７Ｃ】
2005508685.tif 000042
【図７Ｄ】
2005508685.tif 000043
【図７Ｅ】
2005508685.tif 000044
【図７Ｆ】
2005508685.tif 000045
【図８Ａ】
2005508685.tif 000046
【図８Ｂ】
2005508685.tif 000047
【図８Ｃ】
2005508685.tif 000048
【図８Ｄ】
2005508685.tif 000049
【図８Ｅ】
2005508685.tif 000050
【図８Ｆ】
2005508685.tif 000051
【図９Ａ】
2005508685.tif 000052
【図９Ｂ】
2005508685.tif 000053
【図９Ｃ】
2005508685.tif 000054
【図９Ｄ】
2005508685.tif 000055
【図９Ｅ】
2005508685.tif 000056
【図９Ｆ】
2005508685.tif 000057
【図９Ｇ】
2005508685.tif 000058
【図１０Ａ】
2005508685.tif 000059
【図１０Ｄ】
2005508685.tif 000060
【図１０Ｅ】
2005508685.tif 000061
【図１０Ｆ】
2005508685.tif 000062
【図１０Ｇ】
2005508685.tif 000063
【図１０Ｈ】
2005508685.tif 000064
【図１０Ｉ】
2005508685.tif 000065
【図１０Ｊ】
2005508685.tif 000066
【図１０Ｋ】
2005508685.tif 000067
【図１０Ｂ】
2005508685.tif 000068
【図１０Ｃ】
2005508685.tif 000069
【図１０Ｌ】
2005508685.tif 000070
【図１１Ａ】
2005508685.tif 000071
【図１１Ｂ】
2005508685.tif 000072
【図１１Ｃ】
2005508685.tif 000073
【図１１Ｄ】
2005508685.tif 000074
【図１２Ａ】
2005508685.tif 000075
【図１２Ｂ】
2005508685.tif 000076
【図１３Ａ】
2005508685.tif 000077
【図１３Ｂ】
2005508685.tif 000078
【図１４Ａ】
2005508685.tif 000079
【図１４Ｂ】
2005508685.tif 000080
【図１４Ｃ】
2005508685.tif 000081
【図１５Ａ】
2005508685.tif 000082
【図１５Ｂ】
2005508685.tif 000083
【図１５Ｃ】
2005508685.tif 000084
【図１６Ａ】
2005508685.tif 000085
【図１６Ｂ】
2005508685.tif 000086
【図１６Ｃ】
2005508685.tif 000087
【図１６Ｄ】
2005508685.tif 000088
【図１６Ｅ】
2005508685.tif 000089
【図１６Ｆ】
2005508685.tif 000090
【図１６Ｇ】
2005508685.tif 000091
【図１６Ｈ】
2005508685.tif 000092
【図１６Ｉ】
2005508685.tif 000093
【国際調査報告】
2005508685.tif 000094
2005508685.tif 000095
2005508685.tif 000096
2005508685.tif 000097